(57)【要約】  前方に音を放射するスピーカ装置であって、スピーカの口径の大型化と筐体の高さの増加の抑制とを両立することができるスピーカ装置を提供する。スピーカ装置は、上下方向に扁平な形状の導音空間を有する筐体と、筐体に、筐体の前方に向けられて配置される第一スピーカと、筐体に、筐体内の上方または下方に位置する導音空間に音を出力するように、上方または下方に向けられて配置される第二スピーカと、を備える。導音空間は、筐体に形成される上下方向に扁平な開口部で開口し、開口部の上下方向の高さは第一スピーカの口径より小さい。
2018012350.tif 000002
【特許請求の範囲】
【請求項１】
上下方向に扁平な形状の導音空間を有する筐体と、
前記筐体に、前記筐体の前方に向けられて配置される第一スピーカと、
前記筐体に、前記筐体内の上方または下方に位置する前記導音空間に音を出力するように、上方または下方に向けられて配置される第二スピーカと、を備え、
前記導音空間は、前記筐体に形成される上下方向に扁平な開口部で開口し、前記開口部の上下方向の高さは前記第一スピーカの口径より小さい、
スピーカ装置。
【請求項２】
上下方向に扁平な形状の導音空間を有する筐体と、
前記筐体に、前記筐体の前方に向けられて配置される第一スピーカと、
前記筐体に、前記筐体内の上方に位置する前記導音空間に音を出力するように上方に向けて配置される第二スピーカと、を備え、
前記導音空間は、前記筐体に形成される上下方向に扁平な開口部で開口し、前記開口部の上下方向の高さは前記第一スピーカの口径より小さい、
スピーカ装置。
【請求項３】
前記導音空間は、前記開口部の上下方向の高さで前記筐体の前壁から後壁の間に延在する、
請求項２に記載のスピーカ装置。
【請求項４】
前記筐体は、前記筐体の上壁と間隔をあけて前記上壁に略平行に延在する床隔壁を備え、
前記導音空間は、前記筐体の前記上壁と前記床隔壁とを備えて形成される、
請求項２に記載のスピーカ装置。
【請求項５】
前記床隔壁は、１つまたは複数の開口部を備え、
前記床隔壁が備える前記開口部には、振動板を前記導音空間に露出して前記筐体の上壁に向かって音を出力するように前記第二スピーカが配置される、
請求項３に記載のスピーカ装置。
【請求項６】
前記床隔壁は、複数の開口部を備え、
前記床隔壁が備える前記開口部の１つには、振動板を前記導音空間に露出して前記筐体の上壁に向かって音を出力するように前記第二スピーカが配置され、
前記床隔壁が備える前記開口部の他の１つには、振動板を前記導音空間に露出して前記筐体の前記上壁に対向するようにパッシブラジエータが配置される、
請求項３に記載のスピーカ装置。
【請求項７】
前記パッシブラジエータおよび前記第二スピーカは、前記筐体内における前記導音空間と別個の第一空間を、共通の背面空間とする、
請求項６に記載のスピーカ装置。
【請求項８】
前記筐体に形成される前記開口部の水平方向の長さは、前記第二スピーカが配置される前記床隔壁の前記開口部の径よりも大きい、
請求項５または請求項６に記載のスピーカ装置。
【請求項９】
前記筐体内における前記導音空間とは別個の第二空間内に、前記第一スピーカと前記第二スピーカとを駆動する駆動回路をさらに備え、
前記第二空間は、前記第二スピーカが背面空間とする前記筐体内の第一空間とは別個に形成される、
請求項１〜７のいずれか一項に記載のスピーカ装置。
【発明の詳細な説明】
【技術分野】
【０００１】
本開示は、スピーカ装置に関する。
【背景技術】
【０００２】
特許文献１は、テレビジョンセット（以下、「テレビ」ともいう）の前方下方に、テレビジョンセットとは別体として設置され、このテレビジョンセットの音声出力装置として使用されるスピーカ装置を開示する。このスピーカ装置は、前方から前面を見たときに矩形の筐体と、筐体の前面に配置された複数のスピーカと、を備えている。
【先行技術文献】
【特許文献】
【０００３】
【特許文献１】特開２０１２−２４４４４２号公報
【発明の概要】
【０００４】
本開示は、前方に音を放射するスピーカ装置であって、スピーカの口径の大型化と筐体の高さの増加の抑制とを両立することができるスピーカ装置を提供する。
【０００５】
本開示の一態様におけるスピーカ装置は、上下方向に扁平な形状の導音空間を有する筐体と、前記筐体に、前記筐体の前方に向けられて配置される第一スピーカと、前記筐体に、前記筐体内の上方または下方に位置する前記導音空間に音を出力するように、上方または下方に向けられて配置される第二スピーカと、を備え、前記導音空間は、前記筐体に形成される上下方向に扁平な開口部で開口し、前記開口部の上下方向の高さは前記第一スピーカの口径より小さい。
【０００６】
本開示におけるスピーカ装置は、前方に音を放射するスピーカ装置であって、スピーカの口径の大型化と筐体の高さの増加の抑制とを両立することが可能である。
【図面の簡単な説明】
【０００７】
【図１】図１は、実施の形態１におけるスピーカ装置の設置例を模式的に示す正面図である。
【図２】図２は、実施の形態１におけるスピーカ装置の外観の一例を模式的に示す斜視図である。
【図３】図３は、実施の形態１におけるスピーカ装置の正面パネルを取り外した状態の一例を模式的に示す斜視図である。
【図４】図４は、実施の形態１におけるスピーカ装置の正面パネルを取り外した状態の一例を模式的に示す正面図である。
【図５】図５は、実施の形態１におけるスピーカ装置の構造の一例を模式的に示す断面図である。
【図６】図６は、実施の形態１におけるスピーカ装置の構造の一例を模式的に示す断面図である。
【発明を実施するための形態】
【０００８】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【０００９】
また、以下の実施の形態の説明において、略平行、略直交のような「略」を伴った表現が用いられる場合がある。例えば、略平行とは、完全に平行であることを意味するだけでなく、実質的に平行であることも意味する。この「実質的」とは、実用上問題のない範囲を含むことを意味する。すなわち、「略」を伴う表現は、実用上問題のない範囲の差異を許容することを意味している。
【００１０】
なお、添付図面および以下の説明は、当業者が本開示を十分に理解するために提供されるのであって、これらにより特許請求の範囲に記載の主題を限定することは意図されていない。
【００１１】
また、各図は、必ずしも厳密に図示されたものではなく、本開示をわかりやすく示すために適宜強調や省略、比率の調整を行った模式図であり、実際の形状や位置関係、比率とは異なる場合がある。また、各図において、実質的に同じ構成要素については同じ符号を付し、説明を省略または簡略化する場合がある。
【００１２】
以下、図１〜図６を参照しながら本開示の実施の形態について説明する。なお、以下の実施の形態では、各図面にＸ軸、Ｙ軸、Ｚ軸の３軸を示し、必要に応じて、ＸＹＺ軸を用いて説明を行う。本実施の形態では、便宜的に、テレビジョンセット１の長辺方向に平行（実質的に平行）な方向をＸ軸方向とし、テレビジョンセット１の短辺方向に平行（実質的に平行）な方向をＹ軸方向とし、Ｘ軸およびＹ軸の双方に直交する方向をＺ軸方向とする。したがって、以下の説明において、テレビジョンセット１の画像表示面１ａはＸＹ平面に平行（実質的に平行）である。また、ＸＺ平面に対して鉛直方向、すなわちＹ軸方向が重力方向であり、重力が働く方向をＹ軸負方向とする。また、通常の使用状況下では、テレビジョンセット１は、ＸＺ平面に平行（実質的に平行）な設置面（水平面）に設置されたテレビ台２の上に、画像表示面１ａが正面（Ｚ軸正方向）を向くように載置されるものとする。なお、各図面では、テレビ台２が設置された設置面の図示は省略する。また、テレビジョンセット１を視聴するユーザ（図示せず）に正対する側を「正面」または「前面」とし、正面の反対側を「背面」とする。また、テレビジョンセット１の背面側から正面側へ向かう方向を「前方」とし、この方向をＺ軸正方向とする。また、設置面からＹ軸正方向に相対的に遠い方を「上」とし、設置面に相対的に近い方を「下」とする。また、以下の説明では、Ｙ軸方向を「縦」または「上下」、Ｘ軸方向を「横」または「左右」、Ｚ軸方向を「奥行き」または「前後」、ＸＺ平面に平行な面を「水平」、という場合もある。なお、これらの方向は便宜的に示す相対的なものであり、絶対的なものではない。
【００１３】
［実施の形態１］
［１−１．スピーカ装置の構成］
以下、図面を参照しつつ、実施の形態１に係るスピーカ装置１００の構成を説明する。
【００１４】
図１は、実施の形態１におけるスピーカ装置１００の設置例を模式的に示す正面図である。図１には、スピーカ装置１００がテレビジョンセット１と共にテレビ台２に設置されている状態を模式的に示す。
【００１５】
図１に例示するように、スピーカ装置１００は、テレビジョンセット１とは別体として構成されており、テレビジョンセット１が載置されるテレビ台２上に、テレビジョンセット１と共に設置される。具体的には、スピーカ装置１００は、例えば、テレビ台２上に、スピーカ装置１００の前面がテレビジョンセット１の画像表示面１ａよりも前方（Ｚ軸正方向側）に配置される位置であって、かつ、画像表示面１ａの下方（Ｙ軸負方向側）となる位置に、スピーカ装置１００の前面が画像表示面１ａと実質的に平行になるように向きが調整されて設置される。以下の説明では、スピーカ装置１００は、このような状態で、テレビジョンセット１と共にテレビ台２に設置されているものとする。スピーカ装置１００は、テレビジョンセット１と電気的に接続されており、テレビジョンセット１から出力される音声信号を受けて、テレビジョンセット１の音声を出力する。
【００１６】
スピーカ装置１００は、左右方向（Ｘ軸方向）に横長であり、かつ上下方向（Ｙ軸方向）に薄い略直方体の外形を有する。スピーカ装置１００の上下方向の高さ（Ｙ軸方向の大きさ）は、例えば、画像表示面１ａとテレビ台２との間に生じる間隙に収まる程度に設定されていてもよい。しかし、本開示は何らこの構成に限定されない。なお、スピーカ装置１００は、音の出力方向が、画像表示面１ａから前方に向かう方向（Ｚ軸正方向）となるように構成されている。
【００１７】
次に、図２〜図４を用いてスピーカ装置１００の構成を説明する。
【００１８】
図２は、実施の形態１におけるスピーカ装置１００の外観の一例を模式的に示す斜視図である。
【００１９】
図３は、実施の形態１におけるスピーカ装置１００の正面パネル１２を取り外した状態の一例を模式的に示す斜視図である。
【００２０】
図４は、実施の形態１におけるスピーカ装置１００の正面パネル１２を取り外した状態の一例を模式的に示す正面図である。
【００２１】
図２に例示するように、スピーカ装置１００は、上下方向（Ｙ軸方向）の辺の長さが他の２辺よりも短い、上下方向（Ｙ軸方向）に扁平な直方体状の外形を有する筐体１０を備えている。筐体１０は、中空でありかつ上下方向（Ｙ軸方向）に扁平な直方体状の本体１１と、本体１１の前方に取り付けられる平板状の正面パネル１２と、を備えている。
【００２２】
本体１１は、図３に例示するように、前壁１１ａ、後壁１１ｂ（図６参照）、側壁１１ｃ（図５参照）、側壁１１ｄ、上壁１１ｅ、および底壁１１ｆ（図５、図６参照）を有している。筐体１０は、筐体１０の形状を安定して維持することができる剛性を有する材料で作製されている。筐体１０を作成する材料として、例えば、金属、樹脂、木材、ガラス、またはファイバ、等を挙げることができる。なお、筐体１０の形状は、上記した形状に限定されない。
【００２３】
前壁１１ａおよび後壁１１ｂは、横方向（Ｘ軸方向）の長さが上下方向（Ｙ軸方向）の長さよりも長い矩形の板状の形状を有している。前壁１１ａと後壁１１ｂとは、互いに実質的に同じ形状および同じ寸法を有しており、前壁１１ａおよび後壁１１ｂの横方向（Ｘ軸方向）の長さは、上壁１１ｅの横方向（Ｘ軸方向）の長さと実質的に等しくなるように設定されている。前壁１１ａと後壁１１ｂとは、互いに対向するように配置されており、前壁１１ａは本体１１の前面側に配置され、後壁１１ｂは本体１１の背面側に配置されている。したがって、スピーカ装置１００がテレビジョンセット１と共にテレビ台２に設置されたときに、前壁１１ａは、テレビジョンセット１の画像表示面１ａ側に配置され、後壁１１ｂはテレビジョンセット１の背面側に配置される。なお、前壁１１ａは、図３に例示するように、側壁１１ｃ、側壁１１ｄ、上壁１１ｅ、および底壁１１ｆの前面側の各端部よりも、背面側（Ｚ軸負方向側）の位置に配置されている。これは、図２に示すように、前壁１１ａの前方（Ｚ軸正方向側）に正面パネル１２を配置できるようにするためである。
【００２４】
側壁１１ｃおよび側壁１１ｄは、奥行き方向（Ｚ軸方向）の長さが上下方向（Ｙ軸方向）の長さよりも長い矩形の板状の形状を有している。側壁１１ｃと側壁１１ｄとは、互いに実質的に同じ形状および同じ寸法を有しており、側壁１１ｃおよび側壁１１ｄの上下方向（Ｙ軸方向）の長さは、前壁１１ａおよび後壁１１ｂの上下方向（Ｙ軸方向）の長さと実質的に等しくなるように設定されている。側壁１１ｃと側壁１１ｄとは、互いに対向するように配置されており、スピーカ装置１００を正面からＺ軸負方向に見たときに、側壁１１ｃは本体１１の左側に配置され、側壁１１ｄは本体１１の右側に配置されている。したがって、スピーカ装置１００がテレビジョンセット１と共にテレビ台２に設置されたときに、側壁１１ｃは、テレビジョンセット１の中央よりも左側に配置され、側壁１１ｄはテレビジョンセット１の中央よりも右側に配置される。また、側壁１１ｃおよび側壁１１ｄの奥行き方向（Ｚ軸方向）の長さは、上壁１１ｅの横方向（Ｘ軸方向）の長さよりも短い。そのため、スピーカ装置１００を上方からＹ軸負方向に見たときに、本体１１はＸ軸方向に長い矩形形状を有している。
【００２５】
上壁１１ｅおよび底壁１１ｆは、横方向（Ｘ軸方向）の長さが奥行き方向（Ｚ軸方向）の長さよりも長い矩形の板状の形状を有している。後述するように底壁１１ｆには凹部１１ｆａ（図５参照）が形成されているが、その点を除き、上壁１１ｅと底壁１１ｆとは、互いに実質的に同じ形状および同じ寸法を有している。上壁１１ｅおよび底壁１１ｆの奥行き方向（Ｚ軸方向）の長さは、側壁１１ｃおよび側壁１１ｄの奥行き方向（Ｚ軸方向）の長さと実質的に等しくなるように設定されている。また、上壁１１ｅおよび底壁１１ｆの横方向（Ｘ軸方向）の長さは、前壁１１ａおよび後壁１１ｂの横方向（Ｘ軸方向）の長さと実質的に等しくなるように設定されている。上壁１１ｅと底壁１１ｆとは、互いに対向するように配置されており、上壁１１ｅは本体１１の上側に配置され、底壁１１ｆは本体１１の下側に配置されている。したがって、スピーカ装置１００がテレビジョンセット１と共にテレビ台２に設置されたときに、上壁１１ｅは、テレビジョンセット１側に配置され、底壁１１ｆはテレビ台２側に配置される。
【００２６】
本体１１は、以上のように構成されることで、上下方向（Ｙ軸方向）に扁平である。そして、後壁１１ｂ、側壁１１ｃ、側壁１１ｄ、上壁１１ｅ、および底壁１１ｆは、筐体１０の外面を形成し、スピーカ装置１００の意匠を形成する。
【００２７】
本体１１の前壁１１ａの中央の上部には、前壁１１ａを貫通するスリット１１ａａが形成されている。本実施の形態において、本体１１の内部空間１１ｇは、スリット１１ａａを通じて、本体１１の外部と連通する。スリット１１ａａは、横方向（Ｘ軸方向）の長さが上下方向の高さ（Ｙ軸方向の長さ）よりも長い、横方向（Ｘ軸方向）に細長の矩形形状を有している。すなわち、スリット１１ａａは、上下方向に扁平な形状を有している。スリット１１ａａは、筐体１０に形成される上下方向に扁平な開口部の一例である。本実施の形態において、スリット１１ａａの上下方向の高さ（Ｙ軸方向の長さ）は、第一スピーカ２１の口径（例えば、４ｃｍ）より小さくなるように設定されている。スリット１１ａａの上下方向の高さは、例えば、１ｃｍ程度である。しかし、スリット１１ａａは、何らこの大きさに限定されない。
【００２８】
前壁１１ａには、複数の第一スピーカ２１が埋め込まれている。複数の第一スピーカ２１は、前方に音を出力するように、音の出力方向を前方に向けて、横方向（Ｘ軸方向）に一列に並んで配置されている。すなわち、本実施の形態において、筐体１０は、前方（Ｚ軸正方向）に向けられて配置された複数の第一スピーカ２１を有する。本実施の形態では、スピーカ装置１００は、４つの第一スピーカ２１を備えており、スリット１１ａａの左右両側に、それぞれ２つずつの第一スピーカ２１が横方向（Ｘ軸方向）に並んで配置されている。なお、前壁１１ａに第一スピーカ２１を埋め込むのではなく、前壁１１ａの横方向（Ｘ軸方向）の長さを上壁１１ｅの横方向（Ｘ軸方向）の長さよりも短くし、前壁１１ａと側壁１１ｃとの間、および前壁１１ａと側壁１１ｄとの間にそれぞれ第一スピーカ２１を配置してスピーカ装置１００を構成してもよい。
【００２９】
第一スピーカ２１は、例えば、直径４ｃｍ程度の口径を有する小型のフルレンジスピーカである。第一スピーカ２１は、所定の周波数帯域の音を好適に再生可能である周波数特性を有する。所定の周波数帯域は、例えば、１００Ｈｚから５０ｋＨｚ近傍までの周波数範囲、または、１００Ｈｚから５０ｋＨｚを超える周波数までの周波数範囲である。しかし、第一スピーカ２１は、何らこの周波数特性に限定されない。第一スピーカ２１は、例えば、１ｋＨｚから１００ｋＨｚ近傍までの周波数範囲、または、２ｋＨｚから１００ｋＨｚを超える周波数までの周波数範囲のような、所定の高音域の周波数帯域の音を好適に再生可能であるツイータであってもよい。
【００３０】
また、スリット１１ａａに相対的に近い位置に配置された２つの第一スピーカ２１と、スリット１１ａａから相対的に遠い位置に配置された２つの第一スピーカ２１とが、互いに異なる周波数特性を備えていてもよい。この場合、スリット１１ａａから相対的に遠い位置に配置された２つの第一スピーカ２１の方が、スリット１１ａａに相対的に近い位置に配置された２つの第一スピーカ２１よりも、高音域の音の出力に好適であってもよい。
【００３１】
図５は、実施の形態１におけるスピーカ装置１００の構造の一例を模式的に示す断面図である。図５には、図３に示すスピーカ装置１００のＶ−Ｖ線断面図を示す。
【００３２】
図６は、実施の形態１におけるスピーカ装置１００の構造の一例を模式的に示す断面図である。図６には、図５に示すスピーカ装置１００のＶＩ−ＶＩ線断面図を示す。
【００３３】
図３〜図６に示すように、筐体１０の本体１１内では、３つの内部空間１１ｇ、内部空間１１ｈ、および内部空間１１ｉが互いに区画されて形成されている。
【００３４】
内部空間１１ｇと内部空間１１ｉとは、図５に例示するように、本体１１内に上下方向（Ｙ軸方向）に直立して設けられた隔壁１１ｊによって互いに分離されており、隔壁１１ｊを介して横方向（Ｘ軸方向）に隣接している。すなわち、内部空間１１ｇと内部空間１１ｉとは、互いに連通しておらず、隔壁１１ｊによって互いに区画されている。同様に、内部空間１１ｈと内部空間１１ｉとは、互いに連通しておらず互いに区画されている。
【００３５】
内部空間１１ｈと内部空間１１ｇとは、図３（破線で示す箇所）および図５に例示するように、上下方向（Ｙ軸方向）に扁平な有底筒状の形状に形成された隔壁１１ｋによって互いに分離されている。隔壁１１ｋは、本体１１内の、上壁１１ｅの直下（Ｙ軸負方向側）に、上壁１１ｅとの間に間隔をあけて上壁１１ｅと実質的に平行になるように平面的に延伸して設けられた床隔壁１１ｋａを有する。したがって、内部空間１１ｈと内部空間１１ｇとは、床隔壁１１ｋａを介して縦方向（Ｙ軸方向）に隣接しており、内部空間１１ｈが内部空間１１ｇの上方（Ｙ軸正方向側）に配置されている。
【００３６】
床隔壁１１ｋａは、上壁１１ｅと共に本体１１内の一部を囲むことで内部空間１１ｈを形成する。床隔壁１１ｋａには、２つの円形の開口部１１ｋｂおよび開口部１１ｋｃが形成されており、内部空間１１ｈは、開口部１１ｋｂおよび開口部１１ｋｃを介して、内部空間１１ｇに連通している。なお、床隔壁１１ｋａに形成される開口部は、２つに限定されるものではなく、１つであってもよく、３つ以上であってもよい。
【００３７】
床隔壁１１ｋａと上壁１１ｅとの間の上下方向の間隔（Ｙ軸方向の離間距離）は、スリット１１ａａの上下方向の高さ（Ｙ軸方向の長さ）と実質的に同じになるように設定されている。そのため、内部空間１１ｈの上下方向の高さ（Ｙ軸方向の大きさ）は、スリット１１ａａの上下方向の高さ（Ｙ軸方向の長さ）と実質的に同じであり、内部空間１１ｈは、その高さを維持したまま、上壁１１ｅに沿って前壁１１ａから後壁１１ｂの間に（奥行き方向（Ｚ軸方向）に）拡がっている。内部空間１１ｈの横幅（Ｘ軸方向の大きさ）は、スリット１１ａａの横幅（Ｘ軸方向の大きさ）と実質的に同じであってもよい。また、内部空間１１ｈの一部の横幅は、スリット１１ａａの横幅より大きくてもよい。そして、内部空間１１ｈは、スリット１１ａａを介して本体１１の外部と連通している。こうして、内部空間１１ｈは、後壁１１ｂから前壁１１ａに向かって音を案内する流路を構成する導音空間を形成する。
【００３８】
このように、導音空間である内部空間１１ｈは、筐体１０の上壁１１ｅと床隔壁１１ｋａとを備えて形成され、開口部であるスリット１１ａａの上下方向の高さ（例えば、１ｃｍ）で、筐体１０の前壁１１ａから後壁１１ｂの間に（奥行き方向（Ｚ軸方向）に）延在する。すなわち、スピーカ装置１００において、筐体１０は、上下方向に扁平な形状の導音空間（内部空間１１ｈ）を有し、その導音空間は、筐体１０に形成された上下方向に扁平な形状の開口部（スリット１１ａａ）で本体１１の外部に対して開口している。導音空間である内部空間１１ｈは、少なくともスリット１１ａａ付近において、スリット１１ａａの形状と同様の形状の流路断面を有する。なお、本開示において、導音空間である内部空間１１ｈの形状は、何ら上記の形状に限定されない。
【００３９】
本実施の形態において、スリット１１ａａは、横幅（Ｘ軸方向の長さ）が開口部１１ｋｂの直径よりも大きくなるように形成されている。また、開口部１１ｋｂは、側壁１１ｃと側壁１１ｄとの中間付近に配置されており、スピーカ装置１００を前方から奥行き方向（Ｚ軸負方向）に水平面（ＸＺ平面）に略平行に見たときに、スリット１１ａａの後方に、スリット１１ａａと開口部１１ｋｂとが一列に並ぶようにして配置されている。これにより、開口部１１ｋｂは、スピーカ装置１００を前方からＺ軸負方向に水平面（ＸＺ平面）に略平行に見たときに、スリット１１ａａの後方の領域（スリット１１ａａからＺ軸負方向側の領域）内に含まれる。すなわち、スピーカ装置１００の正面を前方から水平面（ＸＺ平面）に略平行に見たときに、開口部１１ｋｂは、スリット１１ａａに重なる位置（スリット１１ａａの背後）に配置される。なお、上述の中間付近とは、開口部１１ｋｂがスリット１１ａａの背後に配置される位置のことである。
【００４０】
開口部１１ｋｃは、開口部１１ｋｂの横（例えば、開口部１１ｋｂのＸ軸負方向側、すなわち開口部１１ｋｂと側壁１１ｃとの間）に配置されている。
【００４１】
導音空間である内部空間１１ｈ内のスリット１１ａａの近傍には、図３、図４に例示するように、床隔壁１１ｋａ上に複数のガイド部１１ｋｄが形成されている。ガイド部１１ｋｄは、奥行き方向（Ｚ軸方向）を長手方向とする帯状の突起である。複数のガイド部１１ｋｄは、横方向（Ｘ軸方向）に互いに間隔をあけて（略等間隔に）一列に並んで配置されるとともに、互いに略平行に配置されている。ガイド部１１ｋｄは、導音空間（内部空間１１ｈ）を通ってスリット１１ａａから本体１１の外部に放射される音に指向性を持たせるための部材である。
【００４２】
本体１１の前壁１１ａには、図４に例示するように、スリット１１ａａの横幅（Ｘ軸方向の）と同程度の長さを有する細長い指向部材１３が取り付けられている。指向部材１３は、横方向（Ｘ軸方向）が長手方向となるようにしてスリット１１ａａの直下に配置されている。したがって、指向部材１３は、スリット１１ａａの直下において、スリット１１ａａの横方向（Ｘ軸方向）の略全体にわたって延伸している。
【００４３】
指向部材１３は、図４、図６に例示するように、指向部材１３の上側（Ｙ軸正方向側）に、スリット１１ａａの底部（スリット１１ａａの下側の辺）から前斜め下方向（Ｚ軸正方向、Ｙ軸負方向）に向かって傾斜する指向面１３ａを有する。指向面１３ａは、上壁１１ｅと共に拡散導出部１１ｈａを形成する。拡散導出部１１ｈａは、導音空間（内部空間１１ｈ）からスリット１１ａａを介して放出される空気を、前方および下方（Ｚ軸正方向およびＹ軸負方向）に向かって拡散する音の流路である。拡散導出部１１ｈａは、末広がりの開口部の一例である。
【００４４】
拡散導出部１１ｈａは、上壁１１ｅと指向面１３ａとによって、前方（Ｚ軸正方向）に向かって上下方向（Ｙ軸方向）に広がりを有する（すなわち、末広がりな）形状を有している。したがって、例えば、このような出口の導音空間（内部空間１１ｈ）から音が放出される場合、放出された音は、スリット１１ａａの前方（Ｚ軸正方向）の、略水平方向から下方向（Ｙ軸負方向）にわたって拡散される。
【００４５】
なお、本実施の形態では、図６に例示するように、指向面１３ａは、傾斜方向に対して凸状の緩やかな湾曲面を形成している。これにより、導音空間（内部空間１１ｈ）から放出される空気の拡散範囲を、相対的に広くすることができる。しかし、本開示はこの構成例に限定されない。指向面１３ａは平坦であってもよい。なお、本実施の形態では、指向部材１３が、本体１１と別体で形成される構成例を示したが、指向部材１３は本体１１と一体に形成されてもよい。
【００４６】
本体１１の前方（Ｚ軸正方向側）に取り付けられた正面パネル１２は、前壁１１ａの前面（Ｚ軸正方向側の面）を覆う部材である。ただし、正面パネル１２は、図２に例示したように、指向面１３ａと上壁１１ｅとで形成された拡散導出部１１ｈａの開放端、および、４つの第一スピーカ２１の前面（音を放出する面）を外部に露出させている。正面パネル１２は、筐体１０の外面を形成し、スピーカ装置１００の意匠を形成する。
【００４７】
図３、図５、および図６に例示したように、床隔壁１１ｋａに設けられた開口部１１ｋｂには、１つの第二スピーカ２２が埋め込まれ、床隔壁１１ｋａに設けられた開口部１１ｋｃには、１つの第一パッシブラジエータ３１が埋め込まれる。これにより、開口部１１ｋｂおよび開口部１１ｋｃはそれぞれ閉鎖され、導音空間（内部空間１１ｈ）と内部空間１１ｇとの互いの連通が遮断される。これにより、内部空間１１ｇは密閉された空間となり、導音空間（内部空間１１ｈ）は、スリット１１ａａを除き密閉された空間となる。
【００４８】
第二スピーカ２２は、図５、図６に例示するように、第二スピーカ２２の振動板２２ａを導音空間（内部空間１１ｈ）内に露出して開口部１１ｋｂに配置されている。また、第二スピーカ２２は、筐体１０の上壁１１ｅに向かって音を出力するように、設置方向が設定されている。すなわち、第二スピーカ２２は、第二スピーカ２２の上方（Ｙ軸正方向側）に位置する導音空間（内部空間１１ｈ）に向かって音を出力するように、音の出力方向を上方（Ｙ軸正方向）に向けて筐体１０内に配置されている。
【００４９】
第二スピーカ２２は、第一スピーカ２１よりも低音域の音を好適に再生可能なスピーカである。第二スピーカ２２は、例えば、第一スピーカ２１の口径よりも大きい（例えば、直径８ｃｍ程度の）口径を有するサブウーファである。第二スピーカ２２は、所定の低音域の周波数帯域の音を好適に再生可能である周波数特性を有する。所定の低音域の周波数帯域は、例えば、２０Ｈｚから１００Ｈｚまでの周波数範囲、または、２０Ｈｚから２００Ｈｚまでの周波数範囲である。しかし、第二スピーカ２２は、何らこの周波数特性に限定されない。第二スピーカ２２は、例えば、２０Ｈｚから２０００Ｈｚまでの周波数範囲のような、所定の中低音域の周波数帯域の音を好適に再生可能であるウーファであってもよい。
【００５０】
第一スピーカ２１は、音を発生するためのコーン状の振動板２１ａと、振動板２１ａを駆動する駆動装置（図示せず）と、を備えている。第二スピーカ２２は、音を発生するためのコーン状の振動板２２ａと、振動板２２ａを駆動する駆動装置２２ｂと、を備えている。
【００５１】
一方、第一パッシブラジエータ３１は、例えばコーン状の振動板３１ａを備えるが、振動板３１ａを駆動する駆動装置を備えない。
【００５２】
第一パッシブラジエータ３１は、図５に例示するように、第一パッシブラジエータ３１の振動板３１ａを導音空間（内部空間１１ｈ）内に露出して開口部１１ｋｃに配置されている。また、第一パッシブラジエータ３１は、振動板３１ａが筐体１０の上壁１１ｅに対向するように設置方向が設定されている。すなわち、第一パッシブラジエータ３１は、コーン状の振動板３１ａの軸心が、第二スピーカ２２のコーン状の振動板２２ａの軸心と略平行になるようにして筐体１０内に配置されている。
【００５３】
第一パッシブラジエータ３１は、振動板３１ａを内部空間１１ｇ内の空気と共振させることによって、上壁１１ｅに向かって音を放射する。なお、内部空間１１ｇ内の空気は、第二スピーカ２２の振動板２２ａの振動によって第二スピーカ２２と共振する。
【００５４】
第一パッシブラジエータ３１は、第二スピーカ２２の口径と同様の口径を有し、第二スピーカ２２と同様の周波数特性を有する。しかし、第一パッシブラジエータ３１の構成および配置位置は、何ら上記の構成例に限定されない。例えば、第一パッシブラジエータ３１は、前壁１１ａ、後壁１１ｂ、または側壁１１ｃのいずれかに配置されてもよく、あるいは第二スピーカ２２の口径と異なる口径を有していてもよい。
【００５５】
図５に例示するように、第二スピーカ２２および第一パッシブラジエータ３１は、それぞれの背面空間として、内部空間１１ｇを共有している。ここで、内部空間１１ｇは第一空間の一例である。すなわち、第二スピーカ２２と第一パッシブラジエータ３１とは、筐体１０内における導音空間（内部空間１１ｈ）とは別個の（すなわち、導音空間と互いに連通しておらず互いに区画された）第一空間（内部空間１１ｇ）を共通の背面空間とする。なお、第二スピーカ２２の背面空間とは、第二スピーカ２２における音の出力方向（Ｙ軸正方向）とは反対側（Ｙ軸負方向側）の空間のことである。また、第一パッシブラジエータ３１の背面空間とは、第一パッシブラジエータ３１における音の出力方向（Ｙ軸正方向）とは反対側（Ｙ軸負方向側）の空間のことである。
【００５６】
そして、内部空間１１ｇは、第二スピーカ２２と第一パッシブラジエータ３１との間の共振空間を構成する。これにより、第一パッシブラジエータ３１は、第二スピーカ２２の振動板２２ａの振動に共振する内部空間１１ｇと共振し、この共振による振動によって、第一パッシブラジエータ３１の上方（Ｙ軸正方向側）に位置する導音空間（内部空間１１ｈ）に向かって音を放射する。
【００５７】
筐体１０の本体１１の底壁１１ｆには、図５に例示するように、底壁１１ｆから上壁１１ｅに向かって（Ｙ軸正方向に）窪んでいる円錐台状の凹部１１ｆａが形成されている。そして、凹部１１ｆａの底部には、１つの第二パッシブラジエータ３２が埋め込まれている。
【００５８】
第二パッシブラジエータ３２は、内部空間１１ｇ内の、底壁１１ｆよりも上方（Ｙ軸正方向側）の位置に配置されており、第二パッシブラジエータ３２の振動板３２ａを凹部１１ｆａの底部から底壁１１ｆの下方（Ｙ軸負方向）に向けて露出している。そして、第二パッシブラジエータ３２は、筐体１０の底壁１１ｆから下方（Ｙ軸負方向）に向かって音を出力するように、音の出力方向を下方（Ｙ軸正方向）に向けて凹部１１ｆａの底部に配置されている。
【００５９】
凹部１１ｆａの底部は、第二パッシブラジエータ３２が第二スピーカ２２の下部と干渉しないように、位置が設定されている。すなわち、凹部１１ｆａは、凹部１１ｆａの底部に配置された第二パッシブラジエータ３２が、筐体１０を上方からＹ軸負方向（または下方からＹ軸正方向）に見たときに第二スピーカ２２に重ならない位置（第二スピーカ２２から側方にずれた位置）に配置されるように、位置が設定されている。これにより、凹部１１ｆａおよび第二パッシブラジエータ３２を備えた筐体１０の上下方向の高さ（Ｙ軸方向の大きさ）の増加を、抑制することができる。
【００６０】
なお、本実施の形態では、第二パッシブラジエータ３２は、図５に例示するように、第一パッシブラジエータ３１の直下（第一パッシブラジエータ３１に、上下方向（Ｙ軸方向）に関して対向する位置）に配置されている。すなわち、第二パッシブラジエータ３２は、筐体１０を上方からＹ軸負方向（または下方からＹ軸正方向）に見たときに、第一パッシブラジエータ３１と重なる位置に配置されている。
【００６１】
本実施の形態において、第二パッシブラジエータ３２は、第一パッシブラジエータ３１と実質的に同じ構成を有する。また、第二パッシブラジエータ３２は、上述したように、音の出力方向が第一パッシブラジエータ３１と上下方向（Ｙ軸方向）に関して反対方向を向いて筐体１０に配置されている。さらに、第二パッシブラジエータ３２と第一パッシブラジエータ３１とは、上述したように、筐体１０内の、前後方向（Ｚ軸方向）および左右方向（Ｘ軸方向）に関して実質的に同じ位置（水平面（ＸＺ平面）に関して実質的に同じ位置）に配置されている。これにより、第一パッシブラジエータ３１の振動板３１ａの振動方向と、第二パッシブラジエータ３２の振動板３２ａの振動方向とが、上下方向（Ｙ軸方向）に直線性を有する。
【００６２】
第二スピーカ２２、第一パッシブラジエータ３１、および第二パッシブラジエータ３２は、それぞれの背面空間として、内部空間１１ｇを共有している。ここで、内部空間１１ｇは第一空間の一例である。すなわち、第二スピーカ２２と第一パッシブラジエータ３１と第二パッシブラジエータ３２とは、筐体１０内における導音空間（内部空間１１ｈ）とは別個の（すなわち、導音空間と互いに連通しておらず互いに区画された）第一空間（内部空間１１ｇ）を、共通の背面空間とする。なお、第二パッシブラジエータ３２の背面空間とは、第二パッシブラジエータ３２における音の出力方向（Ｙ軸負方向）とは反対側（Ｙ軸正方向側）の空間のことである。これにより、内部空間１１ｇは、第二スピーカ２２と、第一パッシブラジエータ３１と、第二パッシブラジエータ３２との間の共振空間を構成する。
【００６３】
底壁１１ｆの凹部１１ｆａ内には、図５に例示するように、第二パッシブラジエータ３２を下方（Ｙ軸負方向側）から間隔をあけて覆う扁平な有底円筒状のカバー部１１ｆｂが設けられている。カバー部１１ｆｂは、凹部１１ｆａの外側の底壁１１ｆ（底壁１１ｆの最もＹ軸負方向側の面）よりも下方（Ｙ軸負方向）に突出しないように形成されている。これにより、スピーカ装置１００をテレビ台２上に安定に載置できる。カバー部１１ｆｂは、底壁１１ｆとは別体の部材として形成されもよく、あるいは底壁１１ｆと一体的に形成されてもよい。
【００６４】
カバー部１１ｆｂの円筒状の側部１１ｆｂｂには、複数の開口部１１ｆｂａが形成されている。第二パッシブラジエータ３２は、振動板３２ａを内部空間１１ｇ内の空気と共振させることによって、カバー部１１ｆｂに向かって音を放射する。第二パッシブラジエータ３２から放射された音の一部は、カバー部１１ｆｂに衝突した後に進行方向を変え、複数の開口部１１ｆｂａを通って筐体１０の外部に拡散する。本実施の形態において、複数の開口部１１ｆｂａは、カバー部１１ｆｂの側部１１ｆｂｂの外周全体にわたって配置されているが、本開示はこの構成に限定されない。複数の開口部１１ｆｂａは、例えば、カバー部１１ｆｂから放射される音に指向性を持たせるために、カバー部１１ｆｂの側部１１ｆｂｂの一部（例えば、側部１１ｆｂｂの前壁１１ａ側のみ、等）に配置されてもよい。なお、第二パッシブラジエータ３２の構成および配置位置は、何ら上記の構成例に限定されない。例えば、第二パッシブラジエータ３２は、前壁１１ａ、後壁１１ｂ、または側壁１１ｃのいずれかに配置されてもよく、第一パッシブラジエータ３１と対向しない位置に配置されてもよい。あるいは、第二パッシブラジエータ３２は、第一パッシブラジエータ３１と異なる構成を有していてもよい。
【００６５】
以上のように構成されたスピーカ装置１００では、前壁１１ａに口径約４ｃｍの第一スピーカ２１を備え、床隔壁１１ｋａに口径約８ｃｍの第二スピーカ２２および第一パッシブラジエータ３１を備え、底壁１１ｆに口径約８ｃｍの第二パッシブラジエータ３２を備える筐体１０を、上下方向の高さ（Ｙ軸方向の大きさ）を抑えて（例えば、約５ｃｍ程度の高さで）形成することが可能である。
【００６６】
一般的に、スピーカおよびパッシブラジエータは、それらの口径に対して、音を放出する方向の寸法が大幅に小さい。スピーカ装置１００では、上述したように、第二スピーカ２２、第一パッシブラジエータ３１および第二パッシブラジエータ３２を、音の出力方向を上方または下方（Ｙ軸正方向またはＹ軸負方向）に向けて配置することによって、これらの部材が筐体１０内に占める上下方向（Ｙ軸方向）の領域を大幅に低減している。
【００６７】
図５に例示するように、内部空間１１ｉ内には、第一スピーカ２１と第二スピーカ２２とを駆動するための駆動回路５１と、スピーカ装置１００の外部に設置された装置（例えば、テレビジョンセット１）と駆動回路５１とを電気的に相互に接続するためのコネクタ５２とが、設けられている。ここで、内部空間１１ｉは第二空間の一例である。すなわち、スピーカ装置１００は、筐体１０内における導音空間（内部空間１１ｈ）とは別個の（すなわち、導音空間と互いに連通しておらず互いに区画された）第二空間（内部空間１１ｉ）内に、第一スピーカ２１と第二スピーカ２２とを駆動する駆動回路５１を備える。上述したように、第二空間（内部空間１１ｉ）は、第二スピーカ２２が背面空間とする筐体１０内の第一空間（内部空間１１ｇ）とは別個に（すなわち、第一空間と互いに連通しておらず互いに区画された状態で）形成される空間でもある。したがって、スピーカ装置１００において、第一スピーカ２１と第二スピーカ２２との駆動回路５１は、音により空気が振動する空間（導音空間として機能する内部空間１１ｈおよび共振空間として機能する内部空間１１ｇ）と区画された空間である第二空間（内部空間１１ｉ）内に配置される。これにより、スピーカ装置１００では、駆動回路５１が音（音による空気の振動）に与える影響を低減できる。また、駆動回路５１等の電気回路は、音等によって生じる振動が継続的に加えられることで劣化が促進されることがあるが、スピーカ装置１００では、駆動回路５１が、音による直接的な空気の振動を受けにくい第二空間（内部空間１１ｉ）内に配置されるので、駆動回路５１にそのような劣化が生じることを抑制できる。コネクタ５２は、駆動回路５１に電気的に接続されている。そして、コネクタ５２は、スピーカ装置１００の外部に設置された装置（例えば、テレビジョンセット１）が備える電気信号出力用のコネクタに、電気信号伝送用のケーブル等を介して物理的に接続されることで、スピーカ装置１００の外部に設置された装置（例えば、テレビジョンセット１）と駆動回路５１とを電気的に相互に接続する。これにより、スピーカ装置１００の外部に設置された装置（例えば、テレビジョンセット１）から送られてくる音の電気信号が駆動回路５１に伝送される。駆動回路５１は、音の電気信号を増幅するアンプ等を含み、スピーカ装置１００の外部に設置された装置（例えば、テレビジョンセット１）から受け取った電気信号を増幅して第一スピーカ２１および第二スピーカ２２に出力する。なお、本開示は、駆動回路５１を内部空間１１ｉ内に配置する構成例に限定されない。例えば、駆動回路５１は、筐体１０の外部に設置された装置に設けられてもよく、スピーカ装置１００と異なる装置に設けられてもよい。
【００６８】
［１−２．スピーカ装置の動作］
以下、実施の形態１におけるスピーカ装置１００の動作を説明する。
【００６９】
スピーカ装置１００の筐体１０内の駆動回路５１は、スピーカ装置１００の外部に設置された装置（例えば、テレビジョンセット１）からコネクタ５２を介して送られてくる音の電気信号を受け取ってその電気信号を増幅し、増幅した電気信号を第一スピーカ２１および第二スピーカ２２に出力する。
【００７０】
第一スピーカ２１は、駆動回路５１から入力された電気信号に応じて振動板２１ａを駆動し、その電気信号に応じた音を前方（Ｚ軸正方向）に向かって放射する。
【００７１】
第二スピーカ２２は、駆動回路５１から入力された電気信号に応じて振動板２２ａを駆動し、その電気信号に応じた音を筐体１０の上壁１１ｅに向かって放射する。第二スピーカ２２から放射された音の一部は、上壁１１ｅに衝突した後に進行方向を変え、導音空間（内部空間１１ｈ）内をスリット１１ａａに向かって進行する。音は、その進行の過程で、複数のガイド部１１ｋｄによって指向性を有する。ガイド部１１ｋｄによって指向性を備えた音は、スリット１１ａａから筐体１０の外部に放出されるときに、拡散導出部１１ｈａによって、スリット１１ａａの前方（Ｚ軸正方向）の、略水平方向から下方向（Ｙ軸負方向）にわたって拡散される。
【００７２】
また、第二スピーカ２２の振動板２２ａが、駆動回路５１から入力された電気信号に応じて振動することによって、筐体１０の空間１１ｇ内の空気が共振する。これにより、第一パッシブラジエータ３１の振動板３１ａおよび第二パッシブラジエータ３２の振動板３２ａが振動する。振動板３１ａが振動することで、第一パッシブラジエータ３１は、導音空間（内部空間１１ｈ）内において、筐体１０の上壁１１ｅに向かって音を放射する。導音空間（内部空間１１ｈ）内では、第一パッシブラジエータ３１から放射される音が、第二スピーカ２２から放射される音を増強（特に低音域で増強）する。また、振動板３２ａが振動することで、第二パッシブラジエータ３２は、第二パッシブラジエータ３２の側方（ＸＺ平面に平行な方向）の周囲へ音を放射する。第二パッシブラジエータ３２から放射される音も、第二スピーカ２２から放射される音を増強（特に低音域で増強）する。
【００７３】
これらの動作により、スピーカ装置１００は、筐体１０の正面中央のスリット１１ａａ（拡散導出部１１ｈａ）から、第一パッシブラジエータ３１によって低音域がより増強された低音域の音質に優れる第二スピーカ２２の音を放射し、スリット１１ａａの両側から、第一スピーカ２１の音を放射する。第一スピーカ２１は、相対的に小さい口径を有するため、低音域よりも中高音域での音の再生に適している。しかしながら、スピーカ装置１００では、スリット１１ａａから放射される音によって、低音域の音の再生能力を高めることができる。
【００７４】
また、音は、高音域になるほど（すなわち、周波数が高くなるほど）指向性が強くなる。一方、音は、低音域になるほど（すなわち、周波数が低くなるほど）指向性が弱まる。スピーカ装置１００では、この音の性質を考慮し、スリット１１ａａの左右両側（Ｘ軸方向の両側）に第一スピーカ２１を均等に（本実施の形態では、スリット１１ａａの左右両側に第一スピーカ２１を２個ずつ均等に）配置する。これにより、スピーカ装置１００からは、第二スピーカ２２から出力される指向性が相対的に弱い低音域の音が、第一スピーカ２１から出力される指向性が相対的に強い高音域の音によってはさまれる形で、様々な音が出力される。これにより、スピーカ装置１００では、第二スピーカ２２からスリット１１ａａを通って放出される低音域の音から、第一スピーカ２１から放出される高音域の音まで、スリット１１ａａの左右両側のうちの一方に音像が偏って引き付けられるといった現象の発生を抑制することができる。すなわち、スピーカ装置１００では、スピーカ装置１００で再生可能な周波数帯域の全ての音に関して音像に偏りが生じることを抑えることができる。
【００７５】
また、スピーカ装置１００では、筐体１０内の上側（Ｙ軸正方向側）に第一パッシブラジエータ３１が配置され、筐体１０内の下側（Ｙ軸負方向側）に第二パッシブラジエータ３２が配置されている。第一パッシブラジエータ３１の振動板３１ａと第二パッシブラジエータ３２の振動板３２ａとは、上下方向（Ｙ軸方向）に関して互いに反対方向に振動する。これにより、第一パッシブラジエータ３１と第二パッシブラジエータ３２とは、筐体１０の内部空間１１ｇ内の空気の上下相反する方向への脈動を打ち消す。これにより、スピーカ装置１００では、筐体１０の上下方向（Ｙ軸方向）の振動を低減することができる。
【００７６】
なお、筐体１０の上壁１１ｅは、第二スピーカ２２の音によって振動し得る材料（例えば、樹脂、等）で作製されてもよい。この構成の場合、第二スピーカ２２の音によって上壁１１ｅが振動して音を発生するので、導音空間（内部空間１１ｈ）を通って筐体１０の外部に出力される音を、低音域で増強することができる。
【００７７】
なお、本実施の形態では、スピーカ装置１００において、導音空間（内部空間１１ｈ）を筐体１０内の上方（Ｙ軸正方向側）に設け、第二スピーカ２２を上方（Ｙ軸正方向）に向けて筐体１０内に配置する構成例を説明したが、本開示は何らこの構成例に限定されない。例えば、スピーカ装置１００において、導音空間（内部空間１１ｈ）を筐体１０内の下方（Ｙ軸負方向側）に設け、第二スピーカ２２を下方（Ｙ軸負方向）に向けて筐体１０内に配置してもよい。すなわち、スピーカ装置１００において、導音空間（内部空間１１ｈ）および第二スピーカ２２を、図５に示した構成と上下が逆になるように構成してもよい。
【００７８】
なお、本実施の形態では、スピーカ装置１００において、床隔壁１１ｋａが、開口部１１ｋｂおよび開口部１１ｋｃの２つの開口部を備える構成例を説明したが、本開示は何らこの構成例に限定されない。床隔壁１１ｋａが備える開口部は、１つであってもよく、あるいは、３つ以上であってもよい。床隔壁１１ｋａが備える開口部が１つの場合、その開口部には第二スピーカ２２が配置される。床隔壁１１ｋａが備える開口部が３つ以上の場合、３つ目以降の開口部には、第二スピーカ２２または第一パッシブラジエータ３１が配置されてもよく、あるいはその他のスピーカが配置されてもよい。
【００７９】
［１−３．効果等］
以上のように、本実施の形態において、スピーカ装置は、上下方向に扁平な形状の導音空間を有する筐体と、筐体に、筐体の前方に向けられて配置される第一スピーカと、筐体に、筐体内の上方または下方に位置する導音空間に音を出力するように、上方または下方に向けられて配置される第二スピーカと、を備える。そして、導音空間は、筐体に形成される上下方向に扁平な開口部で開口し、開口部の上下方向の高さは第一スピーカの口径より小さい。
【００８０】
また、本実施の形態において、スピーカ装置は、上下方向に扁平な形状の導音空間を有する筐体と、筐体に、筐体の前方に向けられて配置される第一スピーカと、筐体に、筐体内の上方に位置する導音空間に音を出力するように上方に向けて配置される第二スピーカと、を備える。そして、導音空間は、筐体に形成される上下方向に扁平な開口部で開口し、開口部の上下方向の高さは第一スピーカの口径より小さい。
【００８１】
なお、スピーカ装置１００はスピーカ装置の一例である。内部空間１１ｈは、上下方向に扁平な形状の導音空間の一例である。筐体１０は筐体の一例である。第一スピーカ２１は第一スピーカの一例である。第二スピーカ２２は第二スピーカの一例である。スリット１１ａａは、筐体に形成される上下方向に扁平な開口部の一例である。
【００８２】
例えば、実施の形態１に示した例では、スピーカ装置１００は、上下方向に扁平な形状の導音空間（内部空間１１ｈ）を有する筐体１０と、筐体１０に、筐体１０の前方に向けられて配置される第一スピーカ２１と、筐体１０に、筐体１０内の上方に位置する導音空間（内部空間１１ｈ）に音を出力するように上方に向けて配置される第二スピーカ２２と、を備える。そして、導音空間（内部空間１１ｈ）は、筐体１０に形成される上下方向に扁平なスリット１１ａａで開口し、スリット１１ａａの上下方向の高さ（例えば、１ｃｍ）は第一スピーカの口径（例えば、４ｃｍ）より小さい。
【００８３】
スピーカ装置において、導音空間は、開口部の上下方向の高さで筐体の前壁から後壁の間に延在してもよい。
【００８４】
なお、前壁１１ａは前壁の一例である。後壁１１ｂは後壁の一例である。
【００８５】
例えば、実施の形態１に示した例では、スピーカ装置１００において、導音空間（内部空間１１ｈ）は、スリット１１ａａの上下方向の高さ（例えば、１ｃｍ）で、筐体１０の前壁１１ａから後壁１１ｂの間に（奥行き方向（Ｚ軸方向）に）延在している。
【００８６】
スピーカ装置において、筐体は、筐体の上壁と間隔をあけて上壁に略平行に延在する床隔壁を備えてもよい。導音空間は、筐体の上壁と床隔壁とを備えて形成されてもよい。
【００８７】
なお、上壁１１ｅは上壁の一例である。床隔壁１１ｋａは床隔壁の一例である。
【００８８】
例えば、実施の形態１に示した例では、スピーカ装置１００において、筐体１０は、筐体１０の上壁１１ｅと間隔をあけて上壁１１ｅに略平行に延在する床隔壁１１ｋａを備えている。そして、導音空間（内部空間１１ｈ）は、筐体１０の上壁１１ｅと床隔壁１１ｋａとで形成されている。
【００８９】
スピーカ装置において、床隔壁は、１つまたは複数の開口部を備えてもよい。床隔壁が備える開口部には、振動板を導音空間に露出して筐体の上壁に向かって音を出力するように第二スピーカが配置されてもよい。
【００９０】
なお、開口部１１ｋｂおよび開口部１１ｋｃは、床隔壁が備える複数の開口部の一例である。振動板２２ａは、第二スピーカの振動板の一例である。
【００９１】
スピーカ装置において、床隔壁は、複数の開口部を備えてもよい。床隔壁が備える開口部の１つには、振動板を導音空間に露出して筐体の上壁に向かって音を出力するように第二スピーカが配置されてもよい。床隔壁が備える開口部の他の１つには、振動板を導音空間に露出して筐体の上壁に対向するようにパッシブラジエータが配置されてもよい。
【００９２】
なお、開口部１１ｋｂは、床隔壁が備える開口部の１つの一例である。開口部１１ｋｃは、床隔壁が備える開口部の他の１つの一例である。第一パッシブラジエータ３１はパッシブラジエータの一例である。振動板３１ａはパッシブラジエータの振動板の一例である。
【００９３】
例えば、実施の形態１に示した例では、スピーカ装置１００において、床隔壁１１ｋａは、開口部１１ｋｂおよび開口部１１ｋｃを備えている。そして、開口部１１ｋｂには、振動板２２ａを導音空間（内部空間１１ｈ）に露出して筐体１０の上壁１１ｅに向かって音を出力するように第二スピーカ２２が配置されている。開口部１１ｋｃには、振動板３１ａを導音空間（内部空間１１ｈ）に露出して筐体１０の上壁１１ｅに対向するように第一パッシブラジエータ３１が配置されている。
【００９４】
スピーカ装置において、パッシブラジエータおよび第二スピーカは、筐体内における導音空間とは別個の第一空間を、共通の背面空間としてもよい。
【００９５】
なお、内部空間１１ｇは第一空間の一例である。
【００９６】
例えば、実施の形態１に示した例では、スピーカ装置１００において、第一パッシブラジエータ３１および第二スピーカ２２は、筐体１０内における導音空間（内部空間１１ｈ）と別個の（すなわち、導音空間と互いに連通しておらず互いに区画された）内部空間１１ｇを、共通の背面空間としている。
【００９７】
スピーカ装置において、筐体に形成される開口部の水平方向の長さは、第二スピーカが配置される床隔壁の開口部の径より大きくてもよい。
【００９８】
例えば、実施の形態１に示した例では、スピーカ装置１００において、筐体１０に形成されるスリット１１ａａの水平方向の長さ（Ｘ軸方向の長さ）は、第二スピーカ２２が配置される開口部１１ｋｂの径より大きい。
【００９９】
スピーカ装置においては、筐体内における導音空間とは別個の第二空間内に、第一スピーカと第二スピーカとを駆動する駆動回路を備えてもよい。第二空間は、第二スピーカが背面空間とする筐体内の第一空間とは別個に形成されてもよい。
【０１００】
なお、内部空間１１ｉは第二空間の一例である。駆動回路５１は駆動回路の一例である。
【０１０１】
例えば、実施の形態１に示した例では、スピーカ装置１００は、筐体１０内における導音空間（内部空間１１ｈ）とは別個の（すなわち、導音空間と互いに連通しておらず互いに区画された）内部空間１１ｉ内に、第一スピーカ２１と第二スピーカ２２とを駆動する駆動回路５１を備えている。内部空間１１ｉは、第二スピーカ２２が背面空間とする内部空間１１ｇとは別個に（すなわち、内部空間１１ｇと互いに連通しておらず互いに区画された状態で）形成されている。
【０１０２】
このように構成されたスピーカ装置１００においては、第二スピーカ２２が、音の出力方向を上方（Ｙ軸正方向）に向けて筐体１０内に配置されるので、第二スピーカ２２を配置するために占有される筐体１０内の上下方向（Ｙ軸方向）の領域は、第二スピーカ２２の口径の大きさの影響を受けにくい。
【０１０３】
これにより、スピーカ装置１００では、第二スピーカ２２の口径を相対的に大きくしても、筐体１０の上下方向の高さ（Ｙ軸方向の大きさ）の増加を抑えることが可能になる。すなわち、スピーカ装置１００においては、スピーカ装置１００の上下方向の高さ（Ｙ軸方向の大きさ）を抑えつつ、第二スピーカ２２を、相対的に口径が大きく、低音域の音を好適に再生可能であるサブウーファ（またはウーファ）とすることができる。
【０１０４】
また、スピーカ装置１００は、前方（Ｚ軸正方向）を向いた複数の第一スピーカ２１を備えているが、複数の第一スピーカ２１は、横方向（Ｘ軸方向）に一列に並んで配置されている。さらに、第二スピーカ２２を、相対的に口径が大きく、低音域の音を好適に再生できるサブウーファ（またはウーファ）にすることで、第一スピーカ２１を、第二スピーカ２２よりも口径が小さい、中高音域の音を好適に再生可能な小型のフルレンジスピーカ、または高音域の音を好適に再生可能なツイータ、にすることができる。これらのことによっても、スピーカ装置１００の上下方向の高さ（Ｙ軸方向の大きさ）を抑えることができる。
【０１０５】
さらに、第二スピーカ２２は、導音空間（内部空間１１ｈ）に向かって音を出力するように配置されているので、第二スピーカ２２から導音空間（内部空間１１ｈ）に向かって出力された音は、導音空間（内部空間１１ｈ）を通り、スリット１１ａａから筐体１０の前方（Ｚ軸正方向）に放出される。第一スピーカ２１は、音の出力方向が前方（Ｚ軸正方向）に向けられているので、第一スピーカ２１から出力される音は筐体１０の前方（Ｚ軸正方向）に放射される。したがって、スピーカ装置１００においては、第一スピーカ２１および第二スピーカ２２から出力される音は、筐体１０の前方（Ｚ軸正方向）に放射される。
【０１０６】
これにより、スピーカ装置１００においては、第二スピーカ２２の口径の大型化を図りながら、筐体１０の上下方向の高さ（Ｙ軸方向の大きさ）の増加を抑えて、各スピーカの音を前方に放射する構成とすることが可能になる。スピーカの口径を大型化することによって、スピーカの低音域の出力特性を向上することができる。そのため、スピーカ装置１００では、低音域の出力を増強することも可能になる。
【０１０７】
さらに、第一スピーカ２１を、高音域または中高音域の音の再生に適した相対的に口径が小さいフルレンジスピーカまたはツイータとし、第二スピーカ２２を、低音域の音の再生に適した相対的に口径が大きいサブウーファ（またはウーファ）とすることによって、スピーカ装置１００では、低音域から高音域にわたり良好な音を出力することができる。
【０１０８】
また、スピーカ装置１００において、導音空間（内部空間１１ｈ）は、第二スピーカ２２の上方（Ｙ軸正方向側）に配置され、上下方向（Ｙ軸方向）に扁平な形状を有する。導音空間（内部空間１１ｈ）の上下方向の高さ（Ｙ軸方向の大きさ）は、導音空間（内部空間１１ｈ）の開口部であるスリット１１ａａの上下方向の高さ（Ｙ軸方向の大きさ）に実質的に等しい。導音空間（内部空間１１ｈ）をこのような形状とすることにより、筐体１０内において、第二スピーカ２２の上方（Ｙ軸正方向側）に導音空間（内部空間１１ｈ）を設けるために必要な上下方向（Ｙ軸方向）の領域を、低減することが可能になる。また、上下方向に扁平な導音空間（内部空間１１ｈ）は、第二スピーカ２２から出力される音の音圧を高め、さらに、導音空間（内部空間１１ｈ）を通って筐体１０の外部に放出される音に、水平方向の広がりを持たせ、かつ筐体１０の前方（Ｚ軸正方向）への指向性を持たせることができる。これにより、スピーカ装置１００は、スピーカ装置１００を使用するユーザに迫力のある音を提供することができる。
【０１０９】
また、スピーカ装置１００において、導音空間（内部空間１１ｈ）は、筐体１０に形成される上下方向（Ｙ軸方向）に扁平なスリット１１ａａで開口する。スリット１１ａａの上下方向の高さ（Ｙ軸方向の大きさ、例えば、１ｃｍ）は、第一スピーカ２１の口径（例えば、４ｃｍ）よりも小さい。スリット１１ａａをこのような形状とすることにより、スピーカ装置１００では、第二スピーカ２２から出力され導音空間（内部空間１１ｈ）を通過した音に、適度な水平方向の広がりを持たせ、かつ筐体１０の前方（Ｚ軸正方向）への指向性を持たせることができる。これにより、スピーカ装置１００から放出される音を聴取中のユーザの頭の位置が水平方向（ＸＺ平面に平行な方向）に変化しても、ユーザは、第二スピーカ２２から出力される音を良好に聴取できる。
【０１１０】
また、スピーカ装置１００においては、スリット１１ａａの前面（Ｚ軸正方向側）には、拡散導出部１１ｈａが設けられている。すなわち、スピーカ装置１００において、導音空間（内部空間１１ｈ）を通った音は、拡散導出部１１ｈａを通って筐体１０の前面に放出される。拡散導出部１１ｈａは、前方（Ｚ軸正方向）に向かって上下方向（Ｙ軸方向）に末広がりな形状で形成されている。拡散導出部１１ｈａをこのような形状とすることにより、スピーカ装置１００では、第二スピーカ２２から出力され導音空間（内部空間１１ｈ）およびスリット１１ａａを通って上述のように指向性を有する音を、上下方向（Ｙ軸方向）に拡散しつつ、その音に前方（Ｚ軸正方向）への指向性を持たせることができる。これにより、スピーカ装置１００から放出される音を聴取中のユーザの頭の位置が縦方向（Ｙ軸方向）に変化しても、ユーザは、第二スピーカ２２から出力される音を良好に聴取できる。
【０１１１】
また、スピーカ装置１００は、複数の第一スピーカ２１を備え、複数の第一スピーカ２１は、第二スピーカ２２から出力される音の出口であるスリット１１ａａの左右両側（Ｘ軸方向の両側）に配置される。スピーカ装置１００において、口径が相対的に大きい（例えば、８ｃｍの）第二スピーカ２２は、第一スピーカ２１よりも低音域の音を好適に出力する。音の指向性は低音域になるほど弱まることが知られている。しかし、スピーカ装置１００では、第二スピーカ２２から出力される音を筐体１０の前方（Ｚ軸正方向）に放出するスリット１１ａａの両側に、指向性が相対的に強い高音域の音を出力する第一スピーカ２１が前方（Ｚ軸正方向）を向いて配置されている。そのため、スピーカ装置１００では、第二スピーカ２２から出力される低音域の音から、第一スピーカ２１から出力される高音域の音まで、特定のスピーカの位置に音の定位が偏向することを抑えることができる。なお、第二スピーカ２２の左右両側のそれぞれに複数の第一スピーカ２１が配置される構成の場合、実際の音の広がり感や聞こえ方等を考慮して、例えば、スリット１１ａａに相対的に近い位置に配置される第一スピーカ２１を、スリット１１ａａから相対的に遠い位置に配置される第一スピーカ２１よりも、低音よりの周波数特性（または、高音よりの周波数特性）を有するスピーカとしてもよい。
【０１１２】
また、スピーカ装置１００は、筐体１０に、第一パッシブラジエータ３１を備えており、第一パッシブラジエータ３１および第二スピーカ２２は、筐体１０内における導音空間（内部空間１１ｈ）とは別個の（すなわち、導音空間と互いに連通しておらず互いに区画された）第一空間（内部空間１１ｇ）を、共通の背面空間とする。このように構成されたスピーカ装置１００において、第一パッシブラジエータ３１は、第二スピーカ２２によって振動する内部空間１１ｇの空気と共振し、音を発生する。共振によって振動板３１ａを振動させる第一パッシブラジエータ３１は、低周波数の音（低音域の音）を好適に出力する。これにより、スピーカ装置１００では、低音域の音を増強することができる。
【０１１３】
また、スピーカ装置１００において、第一パッシブラジエータ３１は、導音空間（内部空間１１ｈ）に向かって音を出力する向きで筐体１０に配置される。すなわち、第一パッシブラジエータ３１は、第二スピーカ２２の配置方向と実質的に同じ向きで筐体１０に配置される。このように構成されたスピーカ装置１００においては、第一パッシブラジエータ３１により、第二スピーカ２２から出力される音の低音域が直接的に増強される。すなわち、スピーカ装置１００では、第一パッシブラジエータ３１により、スピーカ装置１００から出力される音のうちの低音域の音を、さらに増強することが可能になる。さらに、スピーカ装置１００では、第一パッシブラジエータ３１が第二スピーカ２２と実質的に同じ向きで筐体１０に配置されることで、第二スピーカ２２と同様に、第一パッシブラジエータ３１の口径の大型化を図りながら、筐体１０の上下方向の高さ（Ｙ軸方向の大きさ）の増加を抑えることができる。
【０１１４】
また、スピーカ装置１００は、複数のパッシブラジエータ（第一パッシブラジエータ３１および第二パッシブラジエータ３２）を備え、第一パッシブラジエータ３１と第二パッシブラジエータ３２とは、上下方向（Ｙ軸方向）に関して互いに反対方向を向いて筐体１０に配置される。このように構成されたスピーカ装置１００では、第一パッシブラジエータ３１と第二パッシブラジエータ３２とは、上下方向（Ｙ軸方向）に関して互いに反対方向に振動する。これにより、スピーカ装置１００では、第一パッシブラジエータ３１および第二パッシブラジエータ３２の振動に起因して生じる筐体１０の振動を低減することができる。さらに、スピーカ装置１００では、第一パッシブラジエータ３１および第二パッシブラジエータ３２のいずれか一方の配置の向きを、第二スピーカ２２の配置の向きと同じ方向とすることによって、第二スピーカ２２の振動に起因する筐体１０の振動も低減することができる。
【０１１５】
また、スピーカ装置１００では、筐体１０内における導音空間（内部空間１１ｈ）とは別個の（すなわち、導音空間と互いに連通しておらず互いに区画された）第二空間（内部空間１１ｉ）内に、第一スピーカ２１と第二スピーカ２２とを駆動する駆動回路５１を備える。第二空間（内部空間１１ｉ）は、第二スピーカ２２が背面空間とする筐体１０内の第一空間（内部空間１１ｇ）とは別個に（すなわち、第一空間と互いに連通しておらず互いに区画された状態で）形成される。このように構成されたスピーカ装置１００は、筐体１０内に、第一スピーカ２１および第二スピーカ２２等と、駆動回路５１と、を１つのユニットとして備えることで、スピーカ装置１００と、スピーカ装置１００の外部に設置されスピーカ装置１００が接続される装置（例えば、テレビジョンセット１、等）とを含むシステムの構成を簡素化することが可能になる。また、スピーカ装置１００において、駆動回路５１を収容する第二空間（内部空間１１ｉ）は、音により空気が振動する空間である導音空間（内部空間１１ｈ）および第一空間（内部空間１１ｇ）と別個の空間である。すなわち、スピーカ装置１００において、駆動回路５１は、導音空間（内部空間１１ｈ）および第一空間（内部空間１１ｇ）と互いに連通しておらず互いに区画されており、音による直接的な空気の振動を受けにくい第二空間（内部空間１１ｉ）内に配置される。そのため、スピーカ装置１００では、駆動回路５１が音（音による空気の振動）に与える影響を低減できる。また、駆動回路５１においては、音により振動する空気から直接的に受ける影響が低減されるので、継続的に振動が加えられることで徐々に進行する可能性がある劣化を抑制することができる。
【０１１６】
［他の実施の形態］
以上のように、本出願において開示する技術の例示として、実施の形態１を説明した。しかしながら、本開示は、上記実施の形態に限定されるものではない。例えば、本明細書において記載した構成要素を任意に組み合わせて、また、構成要素のいくつかを除外して実現される別の実施の形態を本開示の実施の形態としてもよい。また、上記実施の形態に対して本開示の主旨、すなわち、請求の範囲に記載される文言が示す意味を逸脱しない範囲で当業者が思いつく各種変形を施して得られる変形例も本開示に含まれる。
【０１１７】
そこで、以下、他の実施の形態を例示する。
【０１１８】
実施の形態１では、スピーカ装置１００が、４つの第一スピーカ２１と１つの第二スピーカ２２とを備える構成例を説明したが、本開示はこの構成例に限定されない。スピーカ装置１００は、１つ以上の第一スピーカ２１と１つ以上の第二スピーカ２２とを備えていればよい。
【０１１９】
実施の形態１では、スピーカ装置１００が、第二スピーカ２２から出力される音を放出するスリット１１ａａの両横側（Ｘ軸方向の両側）にそれぞれ第一スピーカ２１を備える構成例を説明したが、本開示はこの構成例に限定されない。スピーカ装置１００は、例えば、スリット１１ａａの一方の横側にのみ第一スピーカ２１を備える構成であってもよい。あるいは、スピーカ装置１００は、スリット１１ａａを複数備え、第一スピーカ２１の両横側にスリット１１ａａを備える構成であってもよい。あるいは、スピーカ装置１００は、１つ以上の第一スピーカ２１と、１つ以上のスリット１１ａａとが、横方向（Ｘ軸方向）に交互に配置された構成であってもよい。また、スピーカ装置１００は、複数の第二スピーカ２２を備え、複数の第二スピーカ２２は、筐体１０の横方向（Ｘ軸方向）に並んで配置されてもよく、筐体１０の奥行き方向（Ｚ軸方向）に並んで配置されてもよい。
【０１２０】
実施の形態１では、スピーカ装置１００が２つのパッシブラジエータ（第一パッシブラジエータ３１および第二パッシブラジエータ３２）を備える構成例を説明したが、本開示はこの構成例に限定されない。スピーカ装置１００は、１つ以上のパッシブラジエータを備えていればよい。また、実施の形態１では、スピーカ装置１００において、第一パッシブラジエータ３１が筐体１０の上壁１１ｅに沿う床隔壁１１ｋａに配置され、第二パッシブラジエータ３２が、筐体１０の底壁１１ｆに配置される構成例を説明したが、本開示はこの構成例に限定されない。スピーカ装置１００において、パッシブラジエータは、筐体１０の、底壁１１ｆ、床隔壁１１ｋａ、前壁１１ａ、側壁１１ｃ、側壁１１ｄ、および上壁１１ｅのうちのいずれに配置されてもよい。さらに、スピーカ装置１００が筐体１０に複数のパッシブラジエータを備える構成の場合、各パッシブラジエータは、実施の形態１に説明したように筐体１０の互いに対向する壁部に配置されてもよく、あるいは筐体１０の互いに対向しない壁部に配置されてもよい。
【０１２１】
実施の形態１では、スピーカ装置１００において、スリット１１ａａ、導音空間（内部空間１１ｈ）、および拡散導出部１１ｈａが、筐体１０の上壁１１ｅに隣接して（すなわち、上壁１１ｅ側に）配置された構成例を説明したが、本開示はこの構成例に限定されない。スピーカ装置１００において、スリット１１ａａ、導音空間（内部空間１１ｈ）、および拡散導出部１１ｈａは、筐体１０の上壁１１ｅと底壁１１ｆとの間のいかなる位置に配置されてもよく、例えば、底壁１１ｆに隣接する位置（筐体１０内の下方）に配置されてもよい。
【０１２２】
実施の形態１では、スピーカ装置１００において、スリット１１ａａ、および拡散導出部１１ｈａが矩形の形状を有する構成例を説明したが、本開示はこの構成例に限定されない。スピーカ装置１００において、スリット１１ａａ、および拡散導出部１１ｈａは、矩形以外の多角形であってもよく、あるいは、円、楕円、または長円等の、いかなる形状であってもよい。また、実施の形態１では、スピーカ装置１００において、スリット１１ａａおよび拡散導出部１１ｈａが、横方向（Ｘ軸方向）を長手方向とする横長の形状を有する構成例を説明したが、本開示はこの構成例に限定されない。スピーカ装置１００において、スリット１１ａａおよび拡散導出部１１ｈａは、横方向以外の方向（例えば、縦方向（Ｙ軸方向）等）を長手方向としてもよい。
【０１２３】
実施の形態１では、スピーカ装置１００において、拡散導出部１１ｈａが、第二スピーカ２２から出力され導音空間（内部空間１１ｈ）を通過した音を、スリット１１ａａの前方（Ｚ軸正方向）の、略水平方向（ＸＺ平面に平行な方向）から下方（Ｙ軸負方向）にわたって拡散するとともに、その音に指向性を持たせるように構成された構成例を説明したが、本開示はこの構成例に限定されない。スピーカ装置１００において、拡散導出部１１ｈａは、第二スピーカ２２から出力され導音空間（内部空間１１ｈ）を通過した音を、例えば、スリット１１ａａの前方（Ｚ軸正方向）の、略水平方向（ＸＺ平面に平行な方向）から上方（Ｙ軸正方向）にわたって拡散してもよく、あるいは、略水平方向（ＸＺ平面に平行な方向）から上方（Ｙ軸正方向）および下方（Ｙ軸負方向）の双方にわたって拡散してもよい。あるいは、拡散導出部１１ｈａは、その音を、左右（Ｘ軸方向）の側方の一方または両方へ拡散してもよい。
【０１２４】
実施の形態１では、スピーカ装置１００が、テレビジョンセット１に適用された構成例を説明したが、本開示は何らこの構成例に限定されない。スピーカ装置１００は、音信号を生じ、その音信号を外部に出力できるように構成された機器であれば、いかなる機器に適用されてもよい。
【０１２５】
以上のように、本開示における技術の例示として、実施の形態を説明した。そのために、添付図面および詳細な説明を提供した。
【０１２６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２８】
本開示は、複数のスピーカを備えるスピーカ装置に適用可能である。
【符号の説明】
【０１２９】
１    テレビジョンセット
１ａ    画像表示面
２    テレビ台
１０    筐体
１１    本体
１１ａ    前壁
１１ａａ    スリット
１１ｂ    後壁
１１ｃ，１１ｄ    側壁
１１ｅ    上壁
１１ｆ    底壁
１１ｆａ    凹部
１１ｆｂ    カバー部
１１ｆｂｂ    側部
１１ｆｂａ，１１ｋｂ，１１ｋｃ    開口部
１１ｇ，１１ｈ，１１ｉ    内部空間
１１ｈａ    拡散導出部
１１ｊ，１１ｋ    隔壁
１１ｋａ    床隔壁
１１ｋｄ    ガイド部
１２    正面パネル
１３    指向部材
１３ａ    指向面
２１    第一スピーカ
２１ａ，２２ａ，３１ａ，３２ａ    振動板
２２    第二スピーカ
２２ｂ    駆動装置
３１    第一パッシブラジエータ
３２    第二パッシブラジエータ
５１    駆動回路
５２    コネクタ
１００    スピーカ装置
【図１】
2018012350.tif 000003
【図２】
2018012350.tif 000004
【図３】
2018012350.tif 000005
【図４】
2018012350.tif 000006
【図５】
2018012350.tif 000007
【図６】
2018012350.tif 000008
【手続補正書】
【提出日】平成30年12月19日(2018.12.19)
【手続補正１】
【補正対象書類名】明細書
【補正対象項目名】００２７
【補正方法】変更
【補正の内容】
【００２７】
本体１１の前壁１１ａの中央の上部には、前壁１１ａを貫通するスリット１１ａａが形成されている。本実施の形態において、本体１１の内部空間１１ｈは、スリット１１ａａを通じて、本体１１の外部と連通する。スリット１１ａａは、横方向（Ｘ軸方向）の長さが上下方向の高さ（Ｙ軸方向の長さ）よりも長い、横方向（Ｘ軸方向）に細長の矩形形状を有している。すなわち、スリット１１ａａは、上下方向に扁平な形状を有している。スリット１１ａａは、筐体１０に形成される上下方向に扁平な開口部の一例である。本実施の形態において、スリット１１ａａの上下方向の高さ（Ｙ軸方向の長さ）は、第一スピーカ２１の口径（例えば、４ｃｍ）より小さくなるように設定されている。スリット１１ａａの上下方向の高さは、例えば、１ｃｍ程度である。しかし、スリット１１ａａは、何らこの大きさに限定されない。
【手続補正２】
【補正対象書類名】明細書
【補正対象項目名】００５８
【補正方法】変更
【補正の内容】
【００５８】
第二パッシブラジエータ３２は、内部空間１１ｇ内の、底壁１１ｆよりも上方（Ｙ軸正方向側）の位置に配置されており、第二パッシブラジエータ３２の振動板３２ａを凹部１１ｆａの底部から底壁１１ｆの下方（Ｙ軸負方向）に向けて露出している。そして、第二パッシブラジエータ３２は、筐体１０の底壁１１ｆから下方（Ｙ軸負方向）に向かって音を出力するように、音の出力方向を下方（Ｙ軸負方向）に向けて凹部１１ｆａの底部に配置されている。
【国際調査報告】
2018012350.tif 000009
2018012350.tif 000010
2018012350.tif 000011
2018012350.tif 000012